(57)【特許請求の範囲】
【請求項１】
キャリアエンベロープオフセット（ＣＥＯ）ロックされた光周波数コム光源部と、
この光周波数コム光源から出力されるレーザ光を２つのレーザ光へ分岐する分岐部と、
この分岐部によって分岐されたレーザ光のうち一方のレーザ光をプローブ光として測定対象物を設置する第１のキャビティに入射してこの第１のキャビティから漏れ出るプローブ光を抽出するプローブ光抽出部と、
前記分岐部によって分岐されたレーザ光のうち他方のレーザ光をリファレンス光として周波数をシフトし、この周波数をシフトした前記リファレンス光を前記測定対象物を設置する第１のキャビティと同じ構成でかつ真空状態の第２のキャビティに入射してこの第２のキャビティから漏れ出るリファレンス光を抽出するリファレンス光抽出部と、
前記プローブ光抽出部によって抽出されたプローブ光と前記リファレンス光抽出部によって抽出されたリファレンス光とを干渉させる干渉信号導出部と、
この干渉信号導出部によって測定された干渉信号を分光して前記干渉信号の光周波数コムのモード毎の光強度を導出する干渉信号調整部と
を備え、
前記干渉信号導出部は、
前記プローブ光抽出部によって抽出されたプローブ光と前記リファレンス光抽出部によって抽出されたリファレンス光とを合波した干渉信号を、第１の干渉信号と第２の干渉信号とに再分岐し、
前記干渉信号調整部は、
前記干渉信号導出部によって導出された前記第１の干渉信号と前記第２の干渉信号とから、前記干渉信号の光周波数コムのモード毎の光強度を導出する
ことを特徴とする多波長同時吸収分光装置。
【請求項２】
請求項１に記載の多波長同時吸収分光装置において、
前記干渉信号調整部は、
前記第１および第２の干渉信号を光周波数コムのモード毎に分光する干渉信号分光部と、
この干渉信号分光部によって光周波数コムのモード毎に分光された前記第１および第２の干渉信号同士の差分を検出する干渉信号強度検知部と
を備えることを特徴とする多波長同時吸収分光装置。
【請求項３】
請求項１または２に記載の多波長同時吸収分光装置において、
前記干渉信号調整部は、
前記干渉信号導出部によって導出された前記第１の干渉信号と前記第２の干渉信号との光強度を調整して前記干渉信号の信号対雑音比を調整する光強度調整部
を備えることを特徴とする多波長同時吸収分光装置。
【請求項４】
請求項１−３のいずれか１項に記載の多波長同時吸収分光装置において、
前記干渉信号導出部は、偏光ビームスプリッタである
ことを特徴とする多波長同時吸収分光装置。
【請求項５】
キャリアエンベロープオフセット（ＣＥＯ）ロックされた光周波数コム光源を使用した多波長同時吸収分光方法であって、
ＣＥＯロックされた光周波数コム光源から出力されるレーザ光を２つのレーザ光へ分岐する分岐ステップと、
この分岐ステップによって分岐されたレーザ光のうち一方のレーザ光をプローブ光として測定対象物を設置する第１のキャビティに入射してこの第１のキャビティから漏れ出るプローブ光を抽出するプローブ光抽出ステップと、
前記分岐ステップによって分岐されたレーザ光のうち他方のレーザ光をリファレンス光として周波数をシフトし、この周波数をシフトした前記リファレンス光を前記測定対象物を設置する第１のキャビティと同じ構成でかつ真空状態の第２のキャビティに入射してこの第２のキャビティから漏れ出るリファレンス光を抽出するリファレンス光抽出ステップと、
前記プローブ光抽出ステップによって抽出されたプローブ光と前記リファレンス光抽出ステップによって抽出されたリファレンス光とを干渉させる干渉信号導出ステップと、
この干渉信号導出ステップによって導出された干渉信号を分光して前記干渉信号の光周波数コムのモード毎の光強度を導出する干渉信号調整ステップと
を有し、
前記干渉信号導出ステップは、
前記プローブ光抽出ステップによって抽出されたプローブ光と前記リファレンス光抽出ステップによって抽出されたリファレンス光とを合波した干渉信号を、第１の干渉信号と第２の干渉信号とに再分岐し、
前記干渉信号調整ステップは、
前記干渉信号導出ステップによって導出された前記第１の干渉信号と前記第２の干渉信号とから、前記干渉信号の光周波数コムのモード毎の光強度を導出する
ことを特徴とする多波長同時吸収分光方法。
【発明の詳細な説明】
【技術分野】
【０００１】
本発明は、高感度かつ周波数の検出確度の高い多波長同時吸収分光装置に関する。
【背景技術】
【０００２】
近年、光周波数コムの周波数を安定化する手法が提案および実現されており、特に、キャリアエンベロープオフセット（以下「ＣＥＯ」という。）ロックすることによって光周波数コムの波長を安定化した光周波数コム光源が提案されている（特許文献１、非特許文献１〜６参照）。このような、光周波数コムの各モードの波長が正確に定まった光周波数コム光源は、高精度な周波数標準および関連する基礎物理だけではなく、通信、精密計測、量子情報通信などの分野へ応用される技術であると期待されている。
【０００３】
精密計測の分野においては、このＣＥＯロックした光周波数コム光源を用いた超高分解能である吸収分光法による高感度な計測技術が提案されている（非特許文献７，８）。この技術は、光周波数コム光源をキャピタルリングダウン分光法（以下、「ＣＲＤＳ法」という。）に適用した吸収分光法による計測技術である。この光周波数コム光源を利用したＣＲＤＳ法によると、得られるデータは、高感度で取得でき、かつ、周波数軸上に高確度であるといった特徴がある。
【０００４】
このＣＲＤＳ法は、２枚の高反射率を有するミラーで構成されるキャビティ内に閉じこめられた光の強度減衰を観測することにより、キャビティ内にある分子の吸収を測定する高感度な吸収分光法である。このキャビティの構成例を図６に示す。
図６に示すような高反射率のミラーを２枚対向させたキャビティ内の一方からパルス光を入射すると、キャビティ内に入った光は、２枚のミラー間を少しずつその強度を減衰させながらキャビティ内の往復を繰り返す。このとき、光がミラーにより反射される際、その光の一部はミラーの外に漏れ出す。ＣＲＤＳ法は、この漏れ出た光の波形を計測することにより、高感度な吸収分光計測を実現する方法である。
【０００５】
ＣＲＤＳ法について、具体的な数式を示しながら詳細に説明する。
ここで、キャビティ内に光を吸収する物質が存在していない、すなわち真空中の場合、ミラーから反射される際に漏れ出る光（以下、「漏れ光」という。）の強度波形は、
Ｉ(ｔ)＝Ｉ0ｅｘｐ(−ｔ／τ0)  
と、表される。ここで、Ｉ0は光の初期振幅、τ0はキャビティ内に閉じこめられた光の減衰寿命（以下、「リングダウンタイム」という。）である。
次に、キャビティ内に光を吸収する物質が、僅かにでも存在している場合、漏れ光の強度波形は、
Ｉ(ｔ)＝Ｉ0ｅｘｐ｛−(１／τ0＋σ*ｎ*ｃ)ｔ｝
と、表される。ここで、σはキャビティ内に存在する光の吸収物質の吸収断面積（または散乱断面積）、ｎはこの吸収物質の数密度、ｃは光速である。
これらの式から、吸収物質が存在する際のリングダウンタイムの逆数と真空中のリングダウンタイムの逆数との差、すなわち（σ*ｎ*ｃ）は、キャビティ内で光吸収した物質の濃度に比例する。したがって、測定対象物の濃度の定量化を実現することができる。
【先行技術文献】
【特許文献】
【０００６】
【特許文献１】特開２００９−１１６２４２号公報
【非特許文献】
【０００７】
【非特許文献１】D.J.Jones, et al., "Carrier-Envelope Phase Control of Femtosecond Mode-Locked Lasers and Direct Optical Frequency Synthesis", Science, Vol.288, pp.635-639, 2000.
【非特許文献２】R.Holzwarth, et al., "Optical Frequency Synthesizer for Precision Spectroscopy", Phys. Rev. Lett., Vol.85, No.11, pp.2264-2267, 2000.
【非特許文献３】K.Sugiyama, et al., "Frequency Control of a Chirped-Mirror-Dispersion-Controlled Mode-Locked Ti:Al2O3 Laser for Comparison between Microwave and Optical Frequencies", Proceedings of SPIE, Vol.4269, pp.95-104,2001
【非特許文献４】T.R.Schibli, et al., "Frequency metrology with a turnkey all-fiber system", Optics Letters ,Vol.29, No.21, pp.2467-2469, 2004.
【非特許文献５】T.M.Foritier, et al., "Octave-spanning Ti:sapphire laser with a repetition rate >1 GHz for optical frequency measurements and comparisons", Optics Letters ,Vol.31, No.7, pp.1011-1013, 2006.
【非特許文献６】I. Hartl, et al., "Integrated self-referenced frequency-comb laser based on a combination of fiber and waveguide technology", Optics Express, Vol.13, No.17, pp.6490-6496,2005.
【非特許文献７】M.J.Thorpe, et al., "Cavity-enhanced direct frequency comb spectroscopy", Applied Physics B - Lasers and Optics, B91, pp.397-414, 2008.
【非特許文献８】M.J.Thorpe, et al., "Cavity-enhanced optical frequency comb spectroscopy: application to human breath analysis", Optics Express, Vol.16, No.4, pp.2387-2397, 2008.
【非特許文献９】A.Bartels, et al., "Spectrally resolved optical frequency comb from a self-referenced 5GHz femtosecond laser", Optics Letters, Vol.32, No.17, pp.2553-2555, 2007.
【発明の概要】
【発明が解決しようとする課題】
【０００８】
しかしながら、非特許文献７または８に開示されている従来のＣＥＯロックした光周波数コム光源を用いたＣＲＤＳ法では、リングダウンタイムと測定対象物質固有の減衰係数（光の吸収断面積または散乱断面積、キャビティ内での数密度）とから、キャビティ内に入射された光の減衰寿命が決定される。このために、物質固有の減衰係数に影響されて吸収分光法による計測精度が悪化してしまうといった問題があった。すなわち、物質固有の減衰係数が大きくなるにつれて、キャビティ内の光の減衰寿命が短縮されていき、漏れ光の波形観測が困難となり、計測精度を悪化させてしまう。
本発明は、上述の問題を解決するためになされたものであり、物質固有の減衰係数による影響を軽減して計測精度を向上させた多波長同時吸収分光装置を提供することを目的とする。
【課題を解決するための手段】
【０００９】
本発明は、上記目的を達成するために、キャリアエンベロープオフセット（ＣＥＯ）ロックされた光周波数コム光源部と、この光周波数コム光源から出力されるレーザ光を２つのレーザ光へ分岐する分岐部と、この分岐部によって分岐されたレーザ光のうち一方のレーザ光をプローブ光として測定対象物を設置するキャビティに入射してこのプローブ光の出力波形を抽出するプローブ光抽出部と、前記分岐部によって分岐されたレーザ光のうち他方のレーザ光をリファレンス光として周波数をシフトし、この周波数をシフトしたリファレンス光を前記測定対象物を設置するキャビティと同じ構成でかつ真空状態のキャビティに入射してリファレンス光の出力波形を抽出するリファレンス光抽出部と、前記プローブ光抽出部によって抽出されたプローブ光と前記リファレンス光抽出部によって抽出されたリファレンス光を干渉させる干渉信号導出部と、この干渉信号導出部によって測定された前記干渉信号の光周波数コムのモード毎の光強度を導出する干渉信号調整部とを設けた。
【００１０】
また、本発明の多波長同時吸収分光装置の前記リファレンス光抽出部は、前記リファレンス光を所定の周波数だけ位相変調することでリファレンス光における光周波数コムの各周波数を所定の周波数だけ周波数シフトする周波数シフタ部と、前記プローブ光抽出部のキャビティと同一のキャビティリングタイムを持つキャビティ部とを備える構成としても良い。
【００１１】
また、本発明の多波長同時吸収分光装置の前記干渉信号導出部は、前記プローブ光抽出部によって出力されたプローブ光と前記リファレンス光抽出部によって出力されたリファレンス光を合波した後に、第１の干渉信号と第２の干渉信号とに再分岐することを特徴としても良い。
【００１２】
また、本発明の多波長同時吸収分光装置の前記干渉信号調整部は、前記第１および第２の干渉信号を光周波数コムのモード毎に分光する干渉信号分光部と、この干渉信号分光部によって光周波数コムのモード毎に分光された前記第１および第２の干渉信号同士の差分を検出する干渉信号強度検知部とを備える構成としても良い。
【発明の効果】
【００１３】
本発明によると、ＣＥＯロックされた光周波数コム光源をプローブ光とリファレンス光とに２分岐して、測定対象物にＣＲＤＳ法によって吸収分光させたプローブ光と周波数シフトさせた後に真空状態のキャビティから出力されるリファレンス光とを干渉させ、分岐された干渉信号の差分を導出することによって、測定対象物の減衰時間を引き延ばすことができ、従来のＣＲＤＳ法では測定困難であった減衰寿命の短い物質に対しても、ＣＥＯロックされた光周波数コム光源を利用した多波長同時吸収分光による精密分光測定を可能にする。
【図面の簡単な説明】
【００１４】
【図１】本発明の第１の実施の形態にかかる多波長同時吸収分光装置の構成を示すブロック図である。
【図２】本発明の第１の実施の形態にかかる多波長同時吸収分光装置によって導出される干渉信号の光強度を示す図である。
【図３】本発明の第２の実施の形態にかかる多波長同時吸収分光装置の構成例を示すブロック図である。
【図４】本発明の第２の実施の形態にかかる多波長同時吸収分光装置における測定感度を向上させるコンピュータの構成例を示すブロック図である。
【図５】本発明の第３の実施の形態にかかる多波長同時吸収分光装置の構成例を示すすブロック図である。
【図６】キャビティリングダウン分光法で使用される光キャビティの構成の一例を示す図である。
【図７】光キャビティからの漏れ光の計測波形の一例を示す図である。
【発明を実施するための形態】
【００１５】
以下、図面を参照して本発明の実施の形態について詳細に説明する。
なお、以下に説明する本発明の実施の形態にかかる多波長同時吸収分光装置は、本発明の実施の形態の一例であり、具体的な構成はこの実施の形態に限られるものではない。すなわち、本発明の趣旨を逸脱しない範囲での設計の変更は、本発明に含まれるものである。
【００１６】
［第１の実施の形態］
本発明の第１の実施の形態にかかる多波長同時吸収分光装置は、光周波数コム安定化光源を用いてキャビティリングダウン分光法（ＣＲＤＳ法）によって精密分光測定を実現するものである。
図１に示すように、本実施の形態にかかる多波長同時吸収分光装置１０は、光周波数コム光源部１１０と、分岐部１２０と、プローブ光抽出部１３０と、リファレンス光抽出部１４０と、干渉信号導出部１５０と、干渉信号調整部１６０とから構成されている。
【００１７】
光周波数コム光源部１１０は、受動モード同期レーザの繰り返し周波数がＧＨｚ以上でキャリアエンベロープオフセット（ＣＥＯ）ロックされた光周波数コム光源である。
例えば、ＣＷ（連続光）光源に位相変調と波長分散を与えてパルス列を発生するＣＥＯロック光周波数コム安定化光源を用いることが望ましい（特許文献１参照）。
【００１８】
分岐部１２０は、光周波数コム光源部１１０から出力されるレーザ光を２つのレーザ光へ分岐するビームスプリッタである。例えば、レーザ光を分岐するビームスプリッタは、光カプラを用いることによって実現される。
【００１９】
プローブ光抽出部１３０は、分岐部１２０によって分岐されたレーザ光のうち、一方のレーザ光をプローブ光として測定対象物を設置する光キャビティ１３１に入射し、この光キャビティ１３１からのプローブ光の出力波形、すなわち光キャビティ１３１からの漏れ光の波形を抽出する。
リファレンス光抽出部１４０は、分岐部１２０によって分岐されたレーザ光のうち、他方のレーザ光を周波数シフタ１４１によって周波数シフトし、この周波数シフトしたレーザ光をリファレンス光としてプローブ光抽出部１３０の光キャビティ１３１と同一の構成でかつ真空状態の光キャビティ１４１に入射し、リファレンス光の出力波形（リファレンス光の漏れ光の波形）を抽出する。
【００２０】
干渉信号導出部１５０は、プローブ光抽出部１３０によって抽出された光キャビティ１３１から出力されるプローブ光とリファレンス光抽出部１４０によって抽出された光キャビティ１４１から出力されるリファレンス光とを合波して、この合波した干渉信号から再び第１の干渉信号と第２の干渉信号とに分岐する。
【００２１】
干渉信号調整部１６０は、干渉信号導出部１５０によって導出された第１の干渉信号と第２の干渉信号とから、干渉信号の信号対雑音比（ＳＮＲ）を調整して、干渉信号の光強度を導出する。
この干渉信号調整部１６０は、光強度調整部１６１と、干渉信号分光部１６２と、干渉信号強度検知部１６３とから構成されている。
【００２２】
光強度調整部１６１は、干渉信号導出部１５０によって導出された第１の干渉信号と第２の干渉信号との光強度比を所定の値となるように光強度を調整する。
干渉信号分光部１６２は、光強度調整部１６１によって光強度を調整された第１および第２の干渉信号について、光周波数コムのモード毎に分光する。
干渉信号強度検知部１６３は、干渉信号分光部１６２によって光周波数コムのモード毎に分光された第１および第２の干渉信号を、光周波数コムの同一モード毎に電気信号を検出してこの電気信号の差分を数値化する。
【００２３】
なお、本実施の形態にかかる多波長同時吸収分光装置１０の構成要素は、ＣＰＵ（中央演算装置）や、メモリ、インターフェースを備えたコンピュータに、コンピュータプログラムをインストールすることにより、上述した多波長同時吸収分光装置１０に搭載されたコンピュータ（図示せず）のハードウェア資源と上記コンピュータプログラム（ソフトウェア）とが協働して実現される。
【００２４】
次に、プローブ光抽出部１３０によって抽出される光キャビティ１３１からの漏れ光の波形とリファレンス光抽出部１４０によって抽出される光キャビティ１４１からの漏れ光の波形とに基づいて導出される干渉信号ついて説明すると同時に、本実施の形態にかかる多波長同時吸収分光装置の動作について説明する。
【００２５】
光キャビティ１３１，１４１は、ともに同一の構成を有しており、例えば、図６に示すような高反射率ミラー（反射率９９．９％）を対向させた構成とする。このとき、光キャビティ１３１の内部には測定対象物である試料（気体や固体など）が設置され、光キャビティ１４１の内部は真空状態である。
光周波数コム光源部１１０から出力されたレーザ光がそれぞれの光キャビティに入射されると、光キャビティからの漏れ光をプローブ光抽出部１３０とリファレンス光抽出部１４０は観測して、それぞれの波形を抽出する。これらの波形は、式（１）、式（２）によって表される。
すなわち、プローブ光抽出部１３０によって抽出される光キャビティ１３１からの漏れ光の波形は、以下のように式（１）で表される。
【００２６】
Ｅ1ｅｘｐ｛−(１／２)（１／τ0＋σ*ｎ*ｃ）ｔ｝ｓｉｎ（２πｆsｔ＋φs）  式（１）
ここで、ｆsはプローブ光の周波数、φsは初期位相を示す。
【００２７】
一方、リファレンス光抽出部１４０によって抽出される光キャビティ１４１からの漏れ光の波形は、以下のように式（２）で表される。
【００２８】
Ｅ2ｅｘｐ(−ｔ／２τ0)ｓｉｎ（２πｆrｔ＋φr）      式（２）
ここで、ｆrはリファレンス光の周波数、φrは初期位相を示す。
【００２９】
また、リファレンス光は周波数シフタ１４１によって周波数をシフトされているので、リファレンス光のＮ番目の光周波数コムの周波数ｆnは、ｆn＝Ｎ*ｆrep＋ｆ0±ｆb（ｆrepは繰り返し周波数、ｆbは周波数シフト量）と表される。
【００３０】
干渉信号導出部１５０は、入力された式（１），式（２）で表されるそれぞれの漏れ光を合波する。この２つの漏れ光を合波させる際、干渉信号導出１５０は、２つの漏れ光にπ／２の位相差を発生させる。２つの漏れ光を合波した後に、干渉信号導出部１５０は、合波した漏れ光を再び２つに分岐して、第１の干渉信号と第２の干渉信号とを出力する。
干渉信号導出部１５０によって再び２分岐されたレーザパルス、すなわち第１の干渉信号と第２の干渉信号は、それぞれ以下のように式（３），（４）と表される。
【００３１】
Ｅ1ｅｘｐ{-(１／２)(１／τ0+σ*ｎ*ｃ)ｔ}ｓｉｎ(２πｆsｔ＋φs)
＋Ｅ2ｅｘｐ(-ｔ／２τ0)ｓｉｎ(２πfrｔ＋φr＋π／２)            式（３）
Ｅ1ｅｘｐ{-(１／２)(１／τ0＋σ*ｎ*ｃ)ｔ}ｓｉｎ(２πｆsｔ+φs＋π／２)
＋Ｅ2ｅｘｐ(-ｔ／２τ0)ｓｉｎ(２πfrｔ+φr)                     式（４）
【００３２】
ここで、式（１）と式（２）で表されるそれぞれの漏れ光を合波させる際には、２つの漏れ光の間にはπ／２の位相差を与える。
また、式（３）で表される第１の干渉信号は、式（１）で表される漏れ光に、式（２）で表される漏れ光を干渉させたもの、式（４）で表される第２の干渉信号は、式（２）で表される漏れ光に、式（１）で表される漏れ光を干渉させたものと考えることができる。
【００３３】
干渉信号導出部１５０によって出力された第１の干渉信号と第２の干渉信号との分岐比を所定の値にするため、干渉信号調整部１６０の光強度調整部１６１は、第１および第２の干渉信号の光強度を調整する。このときの第１の干渉信号と第２の干渉信号との分岐比は１：１が好ましいので、光強度調整部１６１は、分岐比が１：１となるように、それぞれの干渉信号の光強度を調整する。例えば減光フィルタなどを用いて光強度の自動調整をするなどしても良い。
【００３４】
光強度を調整された第１および第２の干渉信号は、干渉信号分光部１６２によって光周波数コムのモード毎に分光される。例えば、光周波数コムモード分離用光学素子であるアレイ導波路回折格子などを使用して、繰り返し周波数ｆrep毎に周波数軸上に等間隔に並ぶ光周波数コムの１本１本を分離する。
【００３５】
次に、干渉信号強度検知部１６２は、第１および第２の干渉信号それぞれについて光周波数コムのモード毎に分離された光強度を検出する。このとき、光周波数コムのモード毎に周波数シフタ１４１による周波数シフト量ｆbの周波数の電気信号が検出される。
干渉信号強度検知部１６２は、検出した第１および第２の干渉信号の光周波数コムの同一モード毎の電気信号の差分を導出して数値化する。この数値化された第１および第２の干渉信号の差分は、干渉信号の光強度Ｉbに比例し、式（５）のように表される。
【００３６】
Ｉb∝Ｅ1Ｅ2ｅｘｐ{-(１／τ0＋σ*ｎ*ｃ／２)ｔ}ｓｉｎ(２πｆb＋φb)    式（５）
【００３７】
式（５）において、φbは、φsとφrとの初期位相差である。
従来のレーザ光源を用いた場合では、周波数シフト量ｆbの揺らぎなどの影響により、式（５）から導出される光強度Ｉbの精度にばらつきが生じてしまうが、本実施の形態においては、ＣＥＯロックされた光周波数コム光源を用いることによって、式（５）から高精度に光強度Ｉbを導出できる。
さらに、式（５）に示すように、光キャビティ内の光の減衰寿命を決定する物質固有の減衰係数である（σ*ｎ*ｃ）の値が、従来のＣＲＤＳ法よりも１／２となっており、光キャビティ内の光の減衰時間を引き延ばしていることが分かる。
【００３８】
ここで、式（５）から導出される干渉信号の光強度Ｉbを図２に示す。図２は、光キャビティのリング長が１ｍ，反射率９９．９％，σ*ｎ*ｃ＝５*１０-2ｓ-１（σ：試料の吸収断面積、ｎ：試料の数密度、ｃ：光速）であるとき、この光キャビティのミラーの反射だけで観測される漏れ光の光強度を（ａ）に、本実施の形態におけるプローブ光とリファレンス光を用いた場合の漏れ光の光強度を（ｂ）に示す。また、従来のＣＲＤＳ法で観測される漏れ光の光強度を（ｃ）に示す。
図２の（ｂ）、（ｃ）から明らかなように、（ｂ）で示される測定結果の方が漏れ光の光強度の減衰時間を引き延ばしており、高感度な精密分光測定であることが分かる。
【００３９】
このように、ＣＥＯロックされた光周波数コム光源をプローブ光とリファレンス光とに２分岐して、測定対象物にＣＲＤＳ法によって吸収分光させたプローブ光と周波数シフトさせた後に真空状態のキャビティから出力されるリファレンス光とを干渉さた干渉信号を導出した後に再度干渉信号を分岐する。その後、この分岐した干渉信号の差分を導出することによって、測定対象物の減衰時間を引き延ばすことができる。具体的には、式（５）から明確であるように、物質固有の減衰係数であるσ*ｎ*ｃの値が、従来のＣＲＤＳ法のそれよりも半減していることが分かる。
したがって、従来のＣＲＤＳ法では測定感度が悪化してしまうような減衰係数の大きい、すなわち光キャビティ内の光の減衰寿命が短くなってしまう物質に対しても、減衰係数による測定感度への影響を軽減することができ、ＣＥＯロックされた光周波数コム光源を利用した多波長同時吸収分光による精密分光測定を可能にする。
【００４０】
［第２の実施の形態］
図３は、本発明の第２実施の形態にかかる多波長同時吸収分光装置の構成を示す図である。本実施の多波長同時吸収分光装置は、第１の実施の形態において説明した多波長同時吸収分光装置１０の干渉信号導出部および干渉信号調整部に遅延機構や光路切替機構などを含んだ光学構成を構成要素として加え、さらに、測定感度特性を向上させるために光学機構などを制御する機能を有するコンピュータを備えるものである。
図３に示すように、本実施の形態にかかる多波長同時吸収分光装置２０は、ＣＥＯロックした光周波数コム光源部１１０と、分岐部１２０と、プローブ光抽出部１３０と、リファレンス光抽出部１４０と、干渉信号導出部２５０と、干渉信号調整部２６０とから構成されている。
【００４１】
そのうち、干渉信号導出部２５０は、遅延機構２５１(例えば、ミラーと1軸ステージで構成)と、光路切替機構２５２ａ，２５２ｂ(例えば、フリッパー)と、光検出器２５３と、合波する手段（ビームスプリッタ）２５４とから構成されている。
また、干渉信号調整部２６０は、可変ＮＤ(Neutral Density)フィルタ２６１−１ａ，２６１−１ｂと光路切替機構２６１−２ａ，２６１−２ｂ(例えば、フリッパー)と光検出器２６１−３とからなる光強度調整部２６１と、光バンドパスフィルタ２６２−１ａ,２６２−１ｂと光周波数コムモード分離部（光学素子と光検出器）２６２−２ａ,２６２−２ｂと電気信号バンドパスフィルタ２６２−３ａ,２６２−３ｂとからなる干渉信号分光部２６２と、コンピュータによって機能を実現する干渉信号強度検知部２６３とから構成される。
【００４２】
図４は、本発明のＣＥＯロック光周波数コム光源を用いた吸収分光の測定感度特性をさらに高める為に、追加で採用することのできる、コンピュータ２６３の構成例を示すブロック図である。
コンピュータ２６３は、光周波数コムモード分離部２６２−２ａ，２６２−２ｂの光検出器から、同一周波数の光周波数コムごとに電気信号の差分をとり、数値化する。
干渉信号のＳＮＲを最大にするため、はじめに光路切替機構２６１−１ａ,２６１−２ｂを使用して、ビームスプリッタ２５４で２分岐したレーザ強度測定を行う。
その後、計測感度特性制御部２６３−２を使用して遅延機構２５１を自動調整して干渉信号解析部２６３−１で算出した信号を最大化する。
続いて、図３の光学構成の場合には可変ＮＤフィルタ２６１−１ａ，２６１−１ｂを、図４の光学構成の場合には１／２波長板３６１−１ａ，３６１−１ｂを調整し、光検出器２６１−３で検出される強度比を均等に自動調整する。
【００４３】
［第３の実施の形態］
図５は、本発明の第３の実施の形態にかかる多波長同時吸収分光装置の構成を示す図である。本実施の形態にかかる多波長同時吸収分光装置は、第２の実施の形態において説明した多波長同時吸収分光装置の構成において、レーザ光を合波して再分岐する手段に偏光ビームスプリッタを利用して干渉信号を導出することとしたものである。
【００４４】
図５に示すように、多波長同時吸収分光装置３０は、２分岐されていたレーザパルスを同時刻に偏光ビームスプリッタ３５４で再び合波して、再び２分岐する。ここで、分岐比を１：１にするために、１／２波長板３６１−１ａ，３６１−１ｂとコンピュータ２６３とでプローブ光強度の自動調整を行う。干渉信号は各光周波数コムで検出され、周波数シフタ１４１での周波数シフト量ｆbの周波数で信号検出されるため、電気信号バンドパスフィルタ２６２−３ａ，２６２−３ｂを使用して、ｆb以外の周波数成分を除去する。
コンピュータ２６３に入力された電気信号は２入力ポートの同一周波数の光周波数コムごとに電気信号の差分をとり、それを数値化する。
【００４５】
このように、偏光ビームスプリッタを用いると、検出ノイズレベルが通常のＣＲＤＳ法よりも５０ｄＢ程度低減するため、干渉信号の検出における信号対雑音比（ＳＮＲ）の改善がさらに向上する。
したがって、減衰時間を引き延ばし、かつ、ＳＮＲの向上による高感度な吸収分光による精密測定が実現できる。
【産業上の利用可能性】
【００４６】
このような多波長同時吸収分光装置は、ＣＥＯロックされた光周波数コム安定化光源を用いた長高分解能吸収分光法による高感度計測装置に利用できる。
【符号の説明】
【００４７】
１０，２０，３０…多波長同時吸収分光装置、１１０…光周波数コム光源部、１２０分岐部、１３０…プローブ光抽出部、１３１…光キャビティ（試料設置用）、１４０…リファレンス光抽出部、１４１…周波数シフタ、１４２…光キャビティ（真空状態）、１５０２５０，３５０…干渉信号導出部、１６０，２６０，３６０…干渉信号調整部、１６１，２６１，３６１…光強度調整部、１６２，２６２…干渉信号分光部、１６３，２６３…干渉信号強度検知部、２５１…遅延機構、２５２ａ，２５２ｂ，２６１−２ａ，２６１−２ｂ…光路切替機構、２５３，２６１−３…光検出器、２５４…ビームスプリッタ（光カプラ）、２６１−１ａ，２６１−１ｂ…可変ＮＤフィルタ、２６２−１ａ，２６２−ａｂ…光バンドパスフィルタ、２６２−２ａ，２６２−２ｂ…光周波数コムモード分離器（光学素子と光検出器）、２６２−３ａ，２６２−３ｂ…電気信号バンドパスフィルタ、２６３−１…干渉信号解析部、２６３−２…計測感度特性制御部、３５４…偏光ビームスプリッタ、３６１−１ａ，３６１−１ｂ…１／２波長板、６０…光キャビティ、６１高反射率ミラー。  
【図１】
0005475341.tif 000002
【図２】
0005475341.tif 000003
【図３】
0005475341.tif 000004
【図４】
0005475341.tif 000005
【図５】
0005475341.tif 000006
【図６】
0005475341.tif 000007
【図７】
0005475341.tif 000008